(57)【特許請求の範囲】
【請求項１】
乗りかごに取り付けられ、前記乗りかごの空調装置から排出される排水を溜める排水タンクと、
前記排水タンクに接続される排水管と、
昇降路の下部に位置するピットに設けられた受水口と、
を備え、
前記乗りかごが前記昇降路の最下階に位置したときに、前記排水タンクに溜めた排水を前記排水管を介して前記受水口へ排出するように設定され、
前記受水口は、前記乗りかごが前記昇降路の最下階に位置する状態で前記排水管の近傍に設置され、かつ、前記乗りかごが前記昇降路の最下階より下方で昇降するとき、前記排水管の付勢により可動し、前記排水管が通過した後に所定の位置に復帰する可動部を備え、
当該可動部は、回転軸により鉛直方向に回転自由に支持され、かつ、前記所定の位置にあるとき、前記回転軸の下に重心が位置するよう構成されたことを特徴とするエレベータの排水装置。
【請求項２】
乗りかごに取り付けられ、前記乗りかごの空調装置から排出される排水を溜める排水タンクと、
前記排水タンクに接続される排水管と、
昇降路の下部に位置するピットに設けられた受水口と、
を備え、
前記乗りかごが前記昇降路の最下階に位置したときに、前記排水タンクに溜めた排水を前記排水管を介して前記受水口へ排出するように設定され、
前記受水口は、前記乗りかごが前記昇降路の最下階に位置する状態で前記排水管の近傍に設置されるとともに、
前記排水管は、前記乗りかごが前記最下階より下方で昇降するとき、前記受水口の付勢により可動し、前記受水口を通過した後に所定の位置に復帰する可動部を備え、
当該可動部は、回転軸により鉛直方向に回転自由に支持され、かつ前記所定の位置にあるとき、前記回転軸の下に重心が位置するよう構成されたことを特徴とするエレベータの排水装置。
【請求項３】
前記受水口又は前記排水管の少なくとも一方の接触部に緩衝材が設けられたことを特徴とする請求項１又は２に記載のエレベータの排水装置。
【発明の詳細な説明】
【技術分野】
【０００１】
本発明は、乗りかご空調装置の排水を排出するエレベータの排水装置に関する。
【背景技術】
【０００２】
従来、乗りかご内の冷房を行なう空調装置を備えたエレベータでは、空調装置から排出される排水を溜める排水タンクを乗りかごに備えたものがある。このエレベータでは、乗りかごが昇降路内を昇降するとき、空調装置から排出される排水を排水タンクに溜めておき、乗りかごが昇降路の最下階に位置したとき、排水タンクに溜めた排水を昇降路下部のピットに設けられる排水設備の受水口に排出する機能を備えるとともに、排水設備の受水口を大きくすることにより排水の飛散を防ぐようにした排水装置が用いられている。
【０００３】
しかしながら、上記乗りかごが高速で昇降する場合には、昇降路下部のピットが深く、ピットに設けられた乗りかご用緩衝器のストロークも長くなるため、上記乗りかごの凝結水排出口とピットの排水設備の受水口までの高さ方向のクリアランスを大きくする必要がある。このように乗りかごの凝結水排出口からピットの排水設備の受水口までの距離が長い場合には、排水タンクに溜めた凝結水を昇降路下部のピットに設けられる排水設備の受水口に排出する際に凝給水が昇降路内で飛び散るため、飛散した排水によりピット内の機器が錆びる等の不具合が生じ、エレベータの安全性が低下する恐れがある。
【０００４】
そこで、上記のような排水の排出時の飛散を防ぐ一手段として、特許文献１に記載されているエレベータの排水装置が提案されている。
【０００５】
図９はこの種の従来のエレベータの排水装置を示す正面図である。図９に示すエレベータは、昇降路８内を昇降する乗りかご１の天井に、乗りかご１内の冷房を行なう冷房装置２を備えている。また、昇降路８下部のピット８ａには、シリンダ９ａとプランジヤ９ｂからなる緩衝器９が配置されている。乗りかご１が図９に示す昇降路８の最下階位置より所定距離Ｒ下降すると、乗りかご１が緩衝器９の上端に当接して緩衝器９が緩衝動作を開始した後、乗りかご１がさらに下降して、場合によっては緩衝器９のプランジャ９ｂのストローク分の距離Ｓまで乗りかご１が下降する。すなわち、乗りかご１は昇降路８の最下階位置より所定距離Ｒ及びプランジャ９ｂのストローク分の距離Ｓを合わせた距離（Ｒ＋Ｓ）まで下降可能である。
【０００６】
そして、上記特許文献１に記載されている従来の排水装置は、乗りかご１に取り付けられ、乗りかご１の冷房装置２から排出される排水を溜める排水タンク３と、この排水タンク３に接続され、排水を排出する排水管４と、この排水管４の管路を開閉する電磁弁５と、昇降路８下部のピット８ａに設けられ、乗りかご１が昇降路８の最下階に停止したとき排水管４先端の近傍に位置する受水口６と、受水口６の下方に接続され、排水を排出口１１を介してピット８ａの外部へ排出する可撓管１０と、乗りかご１の通常位置復帰に伴って受水口６を通常位置に復帰させる受水口復帰手段１２とを備えている。
【０００７】
この受水口復帰手段１２は、乗りかご１の両側に立設されたガイドレール（図示せず）に固着された締結具１７、１８と、締結具１７、１８に回転自在に軸着する上部プーリ１３及び下部プーリ１４と、プーリ１３、１４に張設され、カウンタウェイト１６を装着したワイヤロープ１５と、ワイヤロープ１５に一端が固着され、他端で受水口６を把持する取付け腕１９とより構成されている。
【０００８】
上記構成において、乗りかご１が昇降路８の最下階に位置したとき、乗りかご１側の排水管４を介して排水タンク３内の排水を受水口６へ排出する。このとき、乗りかご１側の排水管４が受水口６に接近しているので、排水が昇降路８内に飛散しない。また、乗りかご１が昇降路８の最下階よりさらに下降するとき、乗りかご１の下降に伴い排水管４で受水口６が下方に押圧されて下降するとともに、受水口復帰手段１２の取付け腕１９を介してワイヤロープ１５が付勢されてカウンタウェイト１６が上昇する。このとき、可撓管１０は可撓性を有しているので収縮しながら追従する。その後、乗りかご１が図８に示す通常時の位置に復帰するとき、受水口復帰手段１２のカウンタウェイト１６の自重によりワイヤロープ１５が回動し、取付け腕１９は上昇して受水口６は常時位置に戻るとともに、可撓管１０は伸長しながら追従する。
【特許文献１】特開平５−１３９６６８号公報
【発明の開示】
【発明が解決しようとする課題】
【０００９】
しかしながら、前述した従来技術にあっては、昇降路８下部のピット８ａに設置する受水口復帰手段１２の構成部品数が多いため、受水口復帰手段１２の設置や調整に時間が掛かるという問題がある。また、乗りかご１が下降した際に撓んだ可撓管１０がピット８ａの他機器に引っ掛かる可能性があり、このような可撓管１０の引っ掛かり防止措置を講じるにはコストが増大するという問題もある。特に、緩衝器９のストロークが長いため可撓管１０も相当に長くする必要がある場合には、上記のように可撓管１０がピット８ａの他機器に引っ掛かる可能性が顕著である。
【００１０】
そこで、本発明は、前記課題を解消するためになされたものであり、乗りかご空調装置の凝結水排水時の飛散を防ぐことができるとともに、ピット内の緩衝器ストロークが長い場合にも支障なく対応でき、さらに構成部品数を減らすことができるエレベータの排水装置を提供することを目的とする。
【課題を解決するための手段】
【００１１】
上記目的を達成するため第１の発明の特徴は、乗りかごに取り付けられ、前記乗りかごの空調装置から排出される排水を溜める排水タンクと、前記排水タンクに接続される排水管と、昇降路の下部に位置するピットに設けられた受水口とを備え、前記乗りかごが前記昇降路の最下階に位置したときに、前記排水タンクに溜めた排水を前記排水管を介して前記受水口へ排出するように設定され、前記受水口は、前記乗りかごが前記昇降路の最下階に位置する状態で前記排水管の近傍に設置され、かつ、前記乗りかごが前記昇降路の最下階より下方で昇降するとき、前記排水管の付勢により可動し、前記排水管が通過した後に所定の位置に復帰する可動部を備え、当該可動部は、回転軸により鉛直方向に回転自由に支持され、かつ、前記所定の位置にあるとき、前記回転軸の下に重心が位置するよう構成されたことを要旨とする。
【００１２】
このような第１の発明のエレベータの排水装置では、乗りかごが昇降路の最下階に停止したとき、排水タンクに溜められた排水は、乗りかご側の排水管を介して排水管の近傍に設置される受水口へ排出される。さらに、乗りかごが昇降路の最下階よりさらに下降するときに、排水管の付勢により受水口の可動部が可動するので、排水管が受水口の位置を通過した後、復帰手段により可動部が所定の位置に復帰される。次に、乗りかごが昇降路の最下階に向かって上昇するとき、排水管の付勢により受水口の可動部が可動するので、排水管が受水口の位置を通過した後、復帰手段により可動部が所定の位置に復帰される。
【００１３】
第２の発明の特徴は、乗りかごに取り付けられ、前記乗りかごの空調装置から排出される排水を溜める排水タンクと、前記排水タンクに接続される排水管と、昇降路の下部に位置するピットに設けられた受水口とを備え、前記乗りかごが前記昇降路の最下階に位置したときに、前記排水タンクに溜めた排水を前記排水管を介して前記受水口へ排出するように設定され、前記受水口は、前記乗りかごが前記昇降路の最下階に位置する状態で前記排水管の近傍に設置されるとともに、前記排水管は、前記乗りかごが前記最下階より下方で昇降するとき、前記受水口の付勢により可動し、前記受水口を通過した後に所定の位置に復帰する可動部を備え、当該可動部は、回転軸により鉛直方向に回転自由に支持され、かつ前記所定の位置にあるとき、前記回転軸の下に重心が位置するよう構成されたことを要旨とする。
【００１４】
このような第２の発明のエレベータの排水装置では、乗りかごが昇降路の最下階に停止したとき、排水タンクに溜められた排水は、乗りかご側の排水管を介して排水管の近傍に設置される受水口へ排出される。さらに、乗りかごが昇降路の最下階よりさらに下降するときに、受水口の付勢により排水管の可動部が可動するので、排水管が受水口の位置を通過した後、復帰手段により可動部が所定の位置に復帰される。次に、乗りかごが昇降路の最下階に向かって上昇するとき、受水口の付勢により排水管の可動部が可動するので、排水管が受水口の位置を通過した後、復帰手段により可動部が所定の位置に復帰される。
【発明の効果】
【００１９】
以上のように、本発明のエレベータの排水装置については、乗りかごが昇降路の最下階に停止した状態で、空調装置の排水を乗りかご側の排水管を介して昇降路下部の受水口へ排出する際、排水の飛散を防ぐことができる。また、乗りかごが昇降路の最下階より下方で昇降する際に乗りかご側の排水管が受水口の位置を通過可能で、かつ所定の位置に復帰可能な構成とすることで、従来のように昇降路下部の受水口に接続される可撓管が不要であるため、ピット内の緩衝器ストロークが長い場合にも支障なく対応できる。さらに、受水口を受水口復帰手段により所定の位置に復帰させる従来例と比べて、構成部品数を減らすことができる。
【発明を実施するための最良の形態】
【００２０】
以下、本発明の実施の形態に係るエレベータの排水装置を図に基づいて説明する。
【００２１】
（第１の実施の形態）
図１は本発明の第１の実施の形態に係るエレベータの排水装置を示す正面図、図２は図１の排水装置の要部を拡大して示す正面図、図３は図１の排水装置に設けられる受水口の動作を説明する図で、図３（ａ）〜（ｈ）は乗りかごが昇降路の最下階よりさらに下降する際の受水口の動作を説明する図、図４（ａ）〜（ｈ）は乗りかごが昇降路の最下階より下方から上昇する際の受水口の動作を説明する図である。なお、図１〜図４において前述した図９に示す従来例と同様のものには同一符号を付してある。また、
図１〜図４に示すように本実施の形態の排水装置２０Ａは、乗りかご１下部に設けられ、空調装置としての冷房装置２から排出される凝結水２１を溜める排水タンク３と、この排水タンク３に接続され、凝結水２１を排出する排水管４と、この排水管４の管路を開閉する電磁弁５と、昇降路８下部のピット８ａに設けられ、乗りかご１が昇降路８の最下階に停止したとき排水管４先端の近傍に位置する受水口６Ａと、この受水口６Ａの下方に設けられ、凝結水２１をピット８ａより排出する排出管２２とを備えている。
【００２２】
受水口６Ａは、乗りかご１が昇降路８の最下階より下方で昇降するとき排水管４の付勢により可動する筒状の可動部２３と、この可動部２３の下端に取り付けられる受水口ウェイト２４と、ピット８ａ壁面にブラケット２５を介して取り付けられ、可動部２３を鉛直方向に回転自在に支持する回転軸２６とから構成されている。可動部２３は、所定の位置（例えば通常時の位置）にあるとき、回転軸２６の下に可動部２３の重心が位置するように設けられている。上記受水口ウェイト２４、ブラケット２５及び回転軸２６により、排水管４が受水口６Ａの位置を通過した後に可動部２３を通常時の位置に復帰する復帰手段が構成されている。
【００２３】
排出管２２は、ピット８ａ壁面に取り付けられたブラケット２７により固定されている。なお、上記ブラケット２５、２７は、ピット８ａ壁面の他に、昇降路８のガイドレール（図示せず）等のエレベータ構成機器に取り付けてもよい。
【００２４】
この第１の実施の形態の排水装置２０Ａにあっては、図１及び図２に示すように、通常時に乗りかご１が昇降路８の最下階に停止したとき、乗りかご１側の排水管４先端の近傍に受水口６Ａが位置するとともに、受水口６Ａの可動部２３の上端に排水管４の先端が挿入され、可動部２３の下端が排出管２２の上端に対向している。この状態で排水管４に設けた電磁弁５の開動作により、排水タンク３に溜められた凝結水２１は、乗りかご１側の排水管４から流出して受水口６Ａの可動部２３内に受け入れられるとともに、凝結水２１が受水口６Ａの可動部２３から排出管２２に流入してピット８ａ外へ排出される。
【００２５】
次に、乗りかご１が昇降路８の最下階よりさらに下降すると、ピット８ａに設けられた緩衝器９が動作する。同時に、図３（ａ）〜（ｇ）に示すように、受水口６Ａの可動部２３は、乗りかご１側の排水管４により下方へ付勢されるため回転軸２６を中心に回転し、排水管４は受水口６Ａの位置を通過する。次に、図３（ｈ）に示すように、受水口６Ａの可動部２３は受水口ウェイト２４の自重により通常時の位置に復帰する。
【００２６】
上記のように乗りかご１が昇降路８の最下階より下降した後、乗りかご１が上昇して昇降路８の最下階に復帰する際、図４（ｈ）→（ｇ）→（ｆ）→（ｅ）→（ｄ）→（ｃ）に示すように、受水口６Ａの可動部２３は、乗りかご１側の排水管４により付勢されるため回転軸２６を中心に回転し、排水管４は受水口６Ａの位置を通過した後、図４（ｂ）に示すように、受水口ウェイト２４の自重により通常時の位置に復帰する。
【００２７】
このように構成した第１の実施の形態の排水装置２０Ａでは、乗りかご１が昇降路８の最下階に位置し、冷房装置２の凝結氷２１を排水する際、乗りかご１に設けられた排水管４と、昇降路８のピット８ａに設けられた受水口６Ａとを近傍に設置することで、排水管４から受水口６Ａに排水される凝結水２１の飛散は防止される。また、緩衝器９の動作時及び復帰時、すなわち乗りかご１が昇降路８の最下階より下方で昇降する際に、排水管４が受水口６Ａの位置を通過可能で、かつ通常時の位置に自動的に復帰可能な構成とすることで、従来のように昇降路下部の受水口に接続される可撓管が不要であるため、ピット８ａ内の緩衝器９のストロークが長い場合にも支障なく対応できる。さらに、受水口を受水口復帰手段により通常時の位置に復帰させる従来例と比べて、構成部品数を減らすことができる。
【００２８】
なお、上記第１の実施の形態にあっては、受水口６Ａを昇降路８のピット８ａに設けて、乗りかご１を昇降路８の最下階で停止した際に受水口６Ａを介して凝結水２１を排水する場合を例示したが、本発明はこれに限らず、例えば、受水口を昇降路の任意の乗りかご停止位置に配置し、乗りかごを昇降路の該乗りかご停止位置で停止した際に上記受水口を介して凝結水を排水するようにしても同様の効果を得ることが可能である。
【００２９】
さらに、上記第１の実施の形態にあっては、受水口６Ａに回転軸２６を用いた可動部２３の回転機構と受水口ウェイト２４による通常時の位置への復帰手段を持たせているが、この代わりに、排水管４に可動部の回転機構とウェイトによる通常時の位置への復帰手段を持たせてもよい。また、受水口６Ａもしくは排水管４の互いの接触部に緩衝材（図示せず）を設けることで、受水口６Ａ及び排水管４の損傷を防ぎ、接触音を低減させることもできる。
【００３０】
（第２の実施の形態）
図５は本発明の第２の実施の形態に係るエレベータの排水装置の要部構成を示す正面図、図６は図５の排水装置に設けられる排水管が受水口により付勢される状態を示す正面図である。なお、図５及び図６において前述した図１〜図４に示す第１の実施の形態と同様のものには同一符号を付してある。
【００３１】
図５及び図６に示すように本実施の形態の排水装置２０Ｂでは、前述した図１〜図４に示す第１の実施の形態に比べて、凝結水２１を排出する排水管４Ｂがクロロープレンゴムや天然ゴムのような可撓性を有する可撓材から形成されたことと、乗りかご１が昇降路８の最下階に停止したとき排水管４Ｂ先端の近傍に位置する受水口６Ｂがブラケット２７を介してピット８ａ壁面に固定されたこととが異なっており、その他の構成は基本的に同様である。
【００３２】
この第２の実施の形態の排水装置２０Ｂにあっては、図５に示すように、通常時には乗りかご１が昇降路８の最下階に停止し、排水管４Ｂに設けた電磁弁５の開動作により、排水タンク３に溜められた凝結水２１は、排水管４Ｂ、受水口６Ｂ及び排出管２２を通りピット８ａ外へ排出される。
【００３３】
次に、乗りかご１が昇降路８の最下階よりさらに下降すると、図６に示すように、乗りかご１側の排水管４Ｂは受水口６Ｂにより付勢されるため、可撓性を有する排水管４Ｂが撓むことにより、排水管４Ｂは受水口６Ｂの位置を通過した後、排水管４Ｂの形状は可撓性により通常時の状態へ自動的に復帰する。
【００３４】
その後、乗りかご１が昇降路８の最下階へ上昇する際、乗りかご１側の排水管４Ｂは受水口６Ｂに付勢されて撓むことにより、排水管４Ｂが受水口６Ｂの位置を通過した後、排水管４Ｂの形状は可撓性により通常時の状態へ自動的に復帰する
このように構成した第２の実施の形態の排水装置２０Ｂでも、乗りかご１が昇降路８の最下階に位置し、冷房装置２の凝結氷２１を排水する際、乗りかご１に設けられた排水管４Ｂと、昇降路８のピット８ａに設けられた受水口６Ｂとを近傍に設置することで、排水管４Ｂから受水口６Ｂに排水される凝結水２１の飛散は防止される。また、乗りかご１が昇降路８の最下階より下方で昇降する際に、排水管４Ｂが受水口６Ｂの位置を通過可能で、かつ通常時の位置に自動的に復帰可能な構成とすることで、従来のように昇降路下部の受水口に接続される可撓管が不要であるため、ピット８ａ内の緩衝器９のストロークが長い場合にも支障なく対応できる。さらに、受水口を受水口復帰手段により通常時の位置に復帰させる従来例と比べて、構成部品数を減らすことができる。
【００３５】
なお、上記第２の実施の形態にあっては、受水口６Ｂを昇降路８のピット８ａに設けて、乗りかご１を昇降路８の最下階で停止した際に受水口６Ｂを介して凝結水２１を排水する場合を例示したが、本発明はこれに限らず、例えば、受水口を昇降路の任意の乗りかご停止位置に配置し、乗りかごを昇降路の該乗りかご停止位置で停止した際に上記受水口を介して凝結水を排水するようにしても同様の効果を得ることが可能である。
【００３６】
（第３の実施の形態）
図７は本発明の第３の実施の形態に係るエレベータの排水装置の要部構成を示す正面図、図８は図７の排水装置に設けられる排水管が受水口を付勢する状態を示す正面図である。なお、図７及び図８において前述した図１〜図４に示す第１の実施の形態と同様のものには同一符号を付してある。
【００３７】
図７及び図８に示すように本実施の形態の排水装置２０Ｃでは、前述した図１〜図４に示す第１の実施の形態に比べて、乗りかご１が昇降路８の最下階に停止したとき排水管４先端の近傍に位置する受水口６Ｃが、ブラケット２０を介してピット８ａ壁面に固定されるとともに、クロロープレンゴムや天然ゴムのような可撓性を有する可撓材から形成されたことが異なっており、その他の構成は基本的に同様である。
【００３８】
この第３の実施の形態の排水装置２０Ｃにあっては、図７に示すように、通常時にて乗りかご１が昇降路８の最下階に停止し、排水管４に設けた電磁弁５の開動作により、排水タンク３に溜められた凝結水２１は、排水管４、受水口６Ｃ及び排出管２２を通りピット８ａ外へ排出される。
【００３９】
次に、図８に示すように、乗りかご１が昇降路８の最下階よりさらに下降すると、乗りかご１側の排水管４の付勢により、可撓性を有する受水口６Ｃが撓むので、排水管４は受水口６Ｃの位置を通過した後、受水口６Ｃの形状は可撓性により通常時の状態へ自動的に復帰する。
【００４０】
次に、乗りかご１が昇降路８の最下階へ上昇する際、乗りかご１側の排水管４の付勢により受水口６Ｃが撓むので、排水管４が受水口６Ｃの位置を通過した後、受水口６Ｃの形状は可撓性により通常時の状態へ自動的に復帰する
このように構成した第３の実施の形態の排水装置２０Ｃでも、乗りかご１が昇降路８の最下階に位置し、冷房装置２の凝結氷２１を排水する際、乗りかご１に設けられた排水管４と、昇降路８のピット８ａに設けられた受水口６Ｃとを近傍に設置することで、排水管４から受水口６Ｃに排水される凝結水２１の飛散は防止される。また、乗りかご１が昇降路８の最下階より下方で昇降する際に、排水管４が受水口６Ｃの位置を通過可能で、かつ通常時の位置に自動的に復帰可能な構成とすることで、従来のように昇降路下部の受水口に接続される可撓管が不要であるため、ピット８ａ内の緩衝器９のストロークが長い場合にも支障なく対応できる。さらに、受水口を受水口復帰手段により通常時の位置に復帰させる従来例と比べて、構成部品数を減らすことができる。
【００４１】
なお、上記第３の実施の形態にあっては、受水口６Ｃを昇降路８のピット８ａに設けて、乗りかご１を昇降路８の最下階で停止した際に受水口６Ｃを介して凝結水２１を排水する場合を例示したが、本発明はこれに限らず、例えば、受水口を昇降路の任意の乗りかご停止位置に配置し、乗りかごを昇降路の該乗りかご停止位置で停止した際に上記受水口を介して凝結水を排水するようにしても同様の効果を得ることが可能である。
【図面の簡単な説明】
【００４２】
【図１】本発明の第１の実施の形態に係るエレベータの排水装置を示す正面図。
【図２】図１の排水装置の要部を拡大して示す正面図。
【図３】図１の排水装置に設けられる受水口の動作を説明する図で、（ａ）〜（ｈ）は乗りかごが昇降路の最下階よりさらに下降する際の受水口の動作を説明する図。
【図４】図１の排水装置に設けられる受水口の動作を示す図で、（ａ）〜（ｈ）は乗りかごが昇降路の最下階より下方から上昇する際の受水口の動作を説明する図。
【図５】本発明の第２の実施の形態に係るエレベータの排水装置の要部構成を示す正面図。
【図６】図５の排水装置に設けられる排水管が受水口により付勢される状態を示す正面図。
【図７】本発明の第３の実施の形態に係るエレベータの排水装置の要部構成を示す正面図。
【図８】図７の排水装置に設けられる排水管が受水口を付勢する状態を示す正面図。
【図９】従来のエレベータの排水装置を示す正面図。
【符号の説明】
【００４３】
１  乗りかご
２  冷房装置
３  排水タンク
４，４Ｂ  排水管
６Ａ〜６Ｃ  受水口
８  昇降路
８ａ  ピット
９  緩衝器
２０Ａ〜２０Ｃ  排水装置
２２  排出管
２３  可動部
２４  受水口ウェイト（復帰手段）
２５  ブラケット
２６  回転軸
【図１】
0005152754.tif 000002
【図２】
0005152754.tif 000003
【図３】
0005152754.tif 000004
【図４】
0005152754.tif 000005
【図５】
0005152754.tif 000006
【図６】
0005152754.tif 000007
【図７】
0005152754.tif 000008
【図８】
0005152754.tif 000009
【図９】
0005152754.tif 000010